(57)【要約】【課題】従来のクリップ付ペン用のアクセサリーは、クリップ付ペンのクリップ部外側に接着するかまたは、嵌着するためにクリップ部に穴を設けなければならないため、手持ちのクリップ付ペンにアクセサリーを自在に取り付け替えることができなかった。また、クリップ付ペンに両面テープを貼り付ける方法もあったが、この方法は外観を重視するアクセサリーとしての使用に絶えなかったし、容易に外れるという問題があった。【解決手段】本発明のペン用アクセサリーは装飾できるデザイン板を有し、デザイン板の底部にある基台に概ね半円形状を形成し伸縮性を有する紐状体が設けられている。前記紐状体の半円形状の両端は底部にある基台の左右に配置されている。前記基台と前記紐状体でクリップ付ペンのクリップを挟んでペン用アクセサリーはクリップ上に締着する。【選択図】図９
2018094728.tif 000002
【特許請求の範囲】
【請求項１】
装飾できるデザイン板の底部に弾性素材でできた基台を有し、前記基台の底面左右から下方向に向かって概ね半円形状を形成する紐状体を少なくとも１本有し、前記紐状体は伸縮性のある素材であることを特徴とするペン用アクセサリー。
【請求項２】
前記デザイン板の底面側が凹みを有し、前記基台の全部／または一部が前記凹みに設けられていることを特徴とする請求項１に記載のペン用アクセサリー。
【請求項３】
装飾できる基台の底面左右から下方向に向かって概ね半円形状を形成する紐状体を少なくとも１本有し、前期紐状体は伸縮性ある素材であることを特徴とするペン用アクセサリー。
【発明の詳細な説明】
【技術分野】
【０００１】
本発明は、ボールペンやシャープペンシルや万年筆などクリップを有するペン類（以下、クリップ付ペン）のクリップ部に着脱できるアクセサリーに関するものである。
【背景技術】
【０００２】
従来より、クリップ付ペンのクリップ部に取り付けるアクセサリーがあった。
アクセサリー化した模造飾りを接着や嵌着できる固着部を有してクリップ部外側に取り付ける「ペンシルキャップ用飾り」（例えば特許文献１）があった。
また、アクセサリー化した模造飾りを両面テープでクリップ部外側に取り付ける「ぷっとブーケ」（例えば特許文献２）があった。
【先行技術文献】
【特許文献】
【０００３】
【特許文献１】特開２０００−３３５１８６
【特許文献２】特開２０１５−５８６８６
【発明の概要】
【発明が解決しようとする課題】
【０００４】
従来のクリップ部を装飾するアクセサリーは自分の気に入ったクリップ付ペンに容易に着脱して付け替えて使用することができなかった。また、使用中に外れやすかった。
【０００５】
例えば特許文献１に記載のアクセサリーはクリップ付ペンのクリップ部外側に接着するかまたは、嵌着するためにクリップ部に穴を設けなければならないため、手持ちのクリップ付ペンにアクセサリーを自由に取り付け替えることができなかった。また、通常クリップ部の外側は曲面形状であるため接着固着しても使用中に外れやすい。
また、嵌着する場合においても通常クリップ部の厚みは薄いために嵌合による固着する強度は弱く外れやすい。
【０００６】
例えば特許文献２に記載のアクセサリーについては、アクセサリーに取り付けた帯状態（両面テープ）をクリップ部や胴軸に巻き付けて固着するものであり、前記アクセサリーは使用中に外れやすい。
また、前記アクセサリーを別のクリップ付ペンに取り付ける場合には新たにクリップ付ペンに両面テープを貼り付けるとともに、元のクリップ付ペンの現状を復帰するに際しては両面テープを剥がす必要があるという煩わしさがあった。
【課題を解決するための手段】
【０００７】
クリップ付ペンのクリップ部に取り付けるアクセサリーに於いて、クリップ付ペンに着脱でき、また使用中に外れることのない機能を有するために以下の構造を以って実現した。
【０００８】
本発明のペン用アクセサリーは装飾することのできるデザイン板を有し、デザイン板の底部にある基台から概ね半円形状を形成する伸縮性を有する紐状体が設けられている。前記紐状体の半円形状の両端は基台底部の左右に配置されている。基台と紐状体でクリップ付ペンのクリップを挟んでペン用アクセサリーはクリップに締着する。本発明のペン用アクセサリーは前記紐状体を少なくとも１本有しているが、概ね同型の紐状体を２本設けているとアクセサリーをクリップ部に取り付けた際にしっかりと締着して安定する。
紐状体が伸縮性を有しているため、１つのペン用アクセサリーはどのクリップ付ペンにも容易に着脱使用することができる。
ここでいう伸縮性を実現するため紐状体は例えばシリコンゴム・生ゴム・合成ゴム・ポリウレタンゴムなどを用いる。
【０００９】
更に、基台の素材として弾性素材を用いる。例えば、基台はシリコンゴム・生ゴム・合成ゴム・ポリウレタンゴムなどでできている。基台を弾性素材にすることにより紐状体と基台に挟まれたクリップは傷がつくこともなく、またペン用アクセサリーが下方に滑り落ちることを防止する。
【００１０】
ペン用アクセサリーのデザイン板に彩色したりラインストーンや鳥の羽や花の造形物など装飾物を固着したりシールを貼るなどしてデザインを施すことができる。
使用者はペン用アクセサリーを装着したクリップ付ペンをポケットに差し込むことで、デザインを施したデザイン板の平面側を見せることができ、使用者はそのデザインを楽しむことができる。
【００１１】
尚、ペン用アクセサリーはデザイン板を設けず基台に直接デザインを施しても良い。この際基台の素材としてシリコンゴムなどの弾性素材を用いてもよいし、プラスチックや木や竹などの硬質素材を用いることもできる。しかしながら基台に硬質素材を用いた場合はクリップの素材によってはクリップを傷める場合があるため、クリップ素材の確認など使用に際して注意が必要になる場合がある。
【発明の効果】
【００１２】
本発明であるペン用アクセサリーは伸縮性を有する紐状体を基台の底部に有しており、基台と紐状体によりクリップを締着する機能があるため、お気に入りのクリップ付ペンのクリップに自由に取り付けまた取り外すことができる。
ペン用アクセサリーのデザイン板は彩色したり装飾物を取付けることでデザインされており、ペン用アクセサリーに取り付けたクリップ付ペンを上着のポケットに刺し込むと、ペン用アクセサリーが見事に上着を装飾する。
【００１３】
基台に弾性材を用いた場合はクリップを締着する部位は全て柔らかさを有した素材になるため、クリップが金メッキなどの装飾がなされている場合でも傷める心配がなく、即ち、どのようなクリップ素材であっても、安心してペン用アクセサリーを取付けることができる。
【００１４】
さらに、デザイン板としてネイルチップを用いればネイルアートデザインを施すことができるために女性に好まれる付加価値の高いペン用アクセサリーを提供することが可能である。
【図面の簡単な説明】
【００１５】
【図１】本発明の第１実施形態によるペン用アクセサリーの正面図である。
【図２】本発明の第１実施形態によるペン用アクセサリーの右側面図である。
【図３】本発明の第１実施形態によるペン用アクセサリーの平面図である。
【図４】本発明の第１実施形態によるペン用アクセサリーの背面図である。
【図５】本発明の第１実施形態によるペン用アクセサリーの底面図である。
【図６】本発明の第１実施形態によるペン用アクセサリーのＡ−Ａ’線断面図である。
【図７】本発明の第１実施形態によるペン用アクセサリーの斜視図である。
【図８】本発明の第１実施形態によるペン用アクセサリーの使用状況１を表す図である。
【図９】本発明の第１実施形態によるペン用アクセサリーの使用状況２を表す図である。
【図１０】本発明の第２実施形態によるペン用アクセサリーの斜視図である。
【図１１】本発明の第３実施形態によるペン用アクセサリーの斜視図である。
【図１２】本発明の第４実施形態によるペン用アクセサリーの斜視図である。
【図１３】本発明の第５実施形態によるペン用アクセサリーの斜視図である。
【図１４】本発明の第６実施形態によるペン用アクセサリーの斜視図である。
【発明を実施するための形態】
【００１６】
（基本構造）
本発明の第１の実施形態を表わす図１乃至図７に示すとおり、本発明であるペン用アクセサリー１は、ネイルチップ形状（底面側の左右から中央ラインに沿って凹んでいる）のデザイン板３１を有し、そのデザイン板３１の底部に基台２１があり、図１および図５で表すとおり基台２１の底面左右から下方向に向かって概ね半円形状の紐状体１１を有している。
図８はペン用アクセサリー１をクリップ付ペン８０に取り付けている状態を２つの方向から表す図である。図８および図１の形状に示す通り、ペン用アクセサリー１の紐状体１１をクリップ８１の下端から通してペン用アクセサリー１をクリップ８１の最上部付近にまで上げると、紐状体１１と基台２１でクリップ８１を挟んで締着し、ペン用アクセサリー１はクリップ８１上部に留まる。
図９に示す通り、使用者は衣類のポケット９０にクリップ付ペン８０を差し込んでクリップ８１で留めた際（以下、ペン用アクセサリー着用時、という）、ペン用アクセサリー１のデザイン板３１が使用者の正面側にあらわれ、デザイン板を他者に見せておしゃれを楽しむことができる。
【００１７】
（デザイン板）
本発明の第１の実施形態を表わす図３および図７に示す通り、デザイン板３１はデザインや装飾をする部位であり例えば図柄４１を描くことができる。また、図１０に示すようにラインストーン４１ａや鳥の羽４２ｂなどの装飾物を取付けて装飾することもできる。
デザイン板３１は図柄４１を描いたりプリントシールを貼付したり、装飾物を取付けることができる素材や形状であれば良い。例えばＡＢＳなどの樹脂類や紙や木や金属などの素材でできている。
本発明の第１実施形態によるデザイン板３１の形状としては図１・図３・図６および図７に示す通り、デザイン板３１の底面側の左右から中央ラインに向かって凹みがあるネイルチップ形状である。図９に表す通りデザイン板３１の形状の場合、使用者のペン用アクセサリー着用時に第三者が使用者を見た際、使用者の正面からまた左右から見ても基台２１がデザイン板３１に隠れているため、基台２１の色や仕上がりに関してあまり気にしなくても良いという利点がある。    
基台を見せたくない場合のデザイン板の形状としては、デザイン板の底面側に凹みを有し（底面側の全体が凹みになっている、または底面側の一部に凹みがある）、その凹みの部分に基台を設けることでペン用アクセサリー着用時に基台が第三者から見えない。図１４は本発明第６の実施形態を表わす斜視図で三日月をデザインしたデザイン板３６の底面側から見た斜視図である。図１４に記載のとおり、ペン用アクセサリー６のデザイン板３６は底面側の一部に凹みを有しており、その凹みに紐状体１１を有する基台２６が設けられている。使用者がペン用アクセサリー６の着用時、第三者は基台２６を見ることが出来ない。
【００１８】
（デザイン板２）
また、本発明の第２の実施形態を表わす図１０に示す通りデザイン板３２の平面上にはラインストーン４２ａや鳥の羽４２ｂなどの装飾物を取付けて装飾性を上げることが出来る。
また、デザイン板の形状は本発明の第１の実施形態の形状に限らず、本発明の第５の実施形態を表わす図１３に示す通りデザイン板３５そのものが木の葉の形をしたりまたキャラクターの形状でできたデザイン板であっても良い。
デザイン板により使用者は自分のお気に入りのデザインを選択したり、デザイン板上に彩色したり物品をデコレーションしてオシャレを楽しむことができる。
【００１９】
（基台・紐状体）
本発明の第１の実施形態を表わす図１、図４乃至図７に示す通り基台２１はデザイン板３１の底部に位置し、図１・図３・図６および図７に示す通り基台２１の底部には底面左右から下方向に概ね半円形状となる２本の紐状体１１が平行に設けられている。基台２１に紐状体１１に設ける方法としては、基台２１の内部に紐状体１１の端を埋設したり、紐状体１１を基台２１に接着または融着したり、あるいは基台２１と紐状体１１を一体で成型するなどの方法がある。
本発明の第３の実施形態を表す図１１に示す通り紐状体１１は１本でも良く、また３本以上でも良い。尚、デザイン板がクリップ８１上でぐらぐらと動くことを防いだりデザイン板の方向をクリップ上の意図する方向に維持するためには紐状体１１は２本以上ある方が望ましい。
紐状体１１は伸縮する素材である。例えば、生ゴム・合成ゴム・シリコンゴム・オペロンゴムやポリウレタンなどの素材でできている。
また基台２１も弾性素材が望ましい。これはクリップ８１を紐状体１１及び基台２１で挟んで締着する際に滑り防止およびクリップ８１を傷めないためである。素材としては生ゴム・合成ゴム・シリコンゴム・オペロンゴムやポリウレタンなどがある。しかしながら基台２１の素材は弾性素材に限らない。クリップ８１の素材やクリップ付ペン８０につく傷への慎重度合いにより基台２１の素材をプラスチックなど合成樹脂や木などの硬質素材にすることもできる（使用者がクリップ部の多少の傷を気にしないのであれば基台２１を硬質素材にすることもできる）。
【００２０】
（基台への直接のデザイン）
基台は［００１９］に記載のとおり、その底面に紐状体１１を有する。本発明の第４の実施形態を表わす図１２に記載のペン用アクセサリー４はデザイン板を有さず、基台２４上に直接図柄を施したものである。例えば、ゴム材を基台２４の素材とし、色の違うゴム材を組み合わせて図柄４４を構成することができる。
また、弾性素材やプラスチックでできたキャラクターを基台として用いることもできる。
更に、弾性素材やプラスチックでできた基台の平面上に直接装飾物を取付けても良い。
【実施例１】
【００２１】
図１乃至図９を参考に実施例を示す。デザイン板３１としてＡＢＳ樹脂性のネイルチップを用い、基台２１としてシリコンシーラントを用いデザイン板３１の底部へネイルチップの外形からはみ出さないようにシリコンシーラントを充填した。更に、シリコンゴム製の輪ゴムを半分に切った半円状の２本の紐状体１１の両端を、基台として充填したシリコンシーラントの底部左右に２本の紐状体１１が平行になるように埋め込み基台２１のシリコンシーラントを硬化（弾性化／ゴム化）させた。更に、デザイン板３１に図柄４１を彩色してデザイン板３１を装飾し、ペン用アクセサリー１を製造した。
図８に記載のとおり、２本の紐状体１１をクリップ付ペン８０のクリップ８１に通してクリップ８１の上部に締着させ、ペン用アクセサリー１をクリップ付ペン８０に装着した。
図９に記載のとおり、使用者はペン用アクセサリー１を装着したクリップ付ペン８０のクリップ８１を胸のポケット９０に差し込んだ。ペン用アクセサリー１のデザイン板３１の装飾された面が正面にあらわれて使用者はオシャレを楽しんだ。
【００２２】
クリップ付ペン８０はプラスチック製のボールペンであり、クリップ８１の正面には印刷が施されていた。クリップ８１に取り付けたペン用アクセサリー１を５０回着脱してみたところ、クリップ８１の印刷が剥がれることもなくまた傷もついていなかった。
これはクリップ８１を締着する紐状体１１と基台２１が弾性素材であるシリコンゴム素材でできているからである。
【産業上の利用可能性】
【００２３】
本発明であるペン用アクセサリーはデザイン板または基台に装飾したものをクリップ付ペン８１を介して衣服のポケット９０に飾り付けを行うものである。特に女性は身の回りにワンポイントであってもオシャレを楽しむ傾向があり、クリップ付ペン８１という日常用いる文房具でそのワンポイントのオシャレが楽しめることは好まれる。
現状、テーマパークなどで販売されているキャラクター付きのボールペンはボールペンのノック部やクリップにキャラクターの装飾物が取り付けられてボールペンとキャラクターが一体化している。即ち、使用者はそのボールペンをポケットに差し入れてオシャレを楽しんでいる。
本発明の使用方法として、例えばテーマパークのキャラクターをデザイン板に施したペン用アクセサリーがあれば、どのボールペンにも取り付けることができるのでインク切れが発生した場合でもクリップ付ペンを交換すれば、いつまでもお気に入りのキャラクターデザインをポケット部分に表現することができる。
また、お気に入りのキャラクターを施したペン用アクセサリーはコンパクトであるため、ペン用アクセサリーだけをコレクションとして収集する際にキャラクターと一体化したボールペンと比べてかさ張らないために、コレクションとして扱いやすい。
【符号の説明】
【００２４】
１      ペン用アクセサリー
２      ペン用アクセサリー
３      ペン用アクセサリー
４      ペン用アクセサリー
５      ペン用アクセサリー
６      ペン用アクセサリー
１１    紐状体
２１    基台
２４    基台
２５    基台
２６    基台
３１    デザイン板
３２    デザイン板
３５    デザイン板
３６    デザイン板
４１    図柄
４２ａ  ラインストーン
４２ｂ  鳥の羽
４４    図柄
８０    クリップ付ペン
８１    クリップ
９０    ポケット
【図１】
2018094728.tif 000003
【図２】
2018094728.tif 000004
【図３】
2018094728.tif 000005
【図４】
2018094728.tif 000006
【図５】
2018094728.tif 000007
【図６】
2018094728.tif 000008
【図７】
2018094728.tif 000009
【図８】
2018094728.tif 000010
【図９】
2018094728.tif 000011
【図１０】
2018094728.tif 000012
【図１１】
2018094728.tif 000013
【図１２】
2018094728.tif 000014
【図１３】
2018094728.tif 000015
【図１４】
2018094728.tif 000016